(57)【特許請求の範囲】
【請求項１】
枕の身がそれぞれ充填され、断面三角形の三角柱状を持つ５つの三角五面単位体の下側の一角エッジ部を互いに一致させて縫着してなる下死点部と、前記５つの三角五面単位体の中で中間部に配置される一対の三角五面単位体の上側の一角エッジ部を連結して縫着してなる上死点部と、底部の前側に一つの三角五面単位体の一面部を楔状に突出するように配置してなる頸椎支持部；及び
前記頸椎支持部の後側に連結され、枕の身がそれぞれ充填され、断面四角形の四角柱状を持ち、一側傾斜面が後方に傾く一側傾斜型四角六面単位体と、断面直四角形の直射角柱状を持つ直四角六面単位体及び断面四角形の四角柱状を持ち、一側傾斜面が前方に傾く他の一つの一側傾斜型四角六面単位体とを水平方向に連結されてなる後頭部支持部；を備え、就寝者が正常姿勢で睡眠を取るときに使用する正常睡眠枕となるようにし、
前記後頭部支持部に後頭部が載せられ、前記頸椎支持部に頸椎が位置した時、前記上死点部に加圧荷重が作用し、前記加圧荷重は前記一対の三角五面単位体に垂直方向作用力と対角線方向作用力に分散して作用し、前記一対の三角五面単位体は上方に位置する面が変形し、頸椎部に密着する状態となることを特徴とする、多数の多角面単位体でなる枕。
【請求項２】
前記就寝者が正常姿勢で睡眠を取るときに使用する正常睡眠枕の頸椎支持部を成す断面三角形の三角柱状を持つ三角五面単位体の上面には、断面直四角形の直射角柱状を持ち、両側傾斜面が傾く両側傾斜型直四角六面単位体が連結され、前記両側傾斜型直四角六面単位体の後面には、断面四角形の四角柱状を持ち、一側傾斜面が傾く一側傾斜型四角六面単位体が連結されて、枕の前面に肩溝部が形成されるようにし；
前記一側傾斜型四角六面単位体の後面側の後頭部支持部の上部には他の一つの一側傾斜型四角六面単位体、断面直四角形の直射角柱状を持つ直四角六面単位体及び三角五面単位体が水平方向に連結されることで、就寝者が横向きになった姿勢で睡眠を取るときに使用する横向き睡眠枕をさらに備えることを特徴とする、請求項１に記載の多数の多角面単位体でなる枕。
【請求項３】
前記正常睡眠枕と前記横向き睡眠枕は着脱手段によって互いに着脱可能となることを特徴とする、請求項２に記載の多数の多角面単位体でなる枕。
【請求項４】
前記横向き睡眠枕は正常睡眠枕の両側部にそれぞれ備えてなることを特徴とする、請求項２に記載の多数の多角面単位体でなる枕。
【発明の詳細な説明】
【技術分野】
【０００１】
本発明は枕に係り、より詳しくは多数の多角面単位体から枕を構成して熟睡を取ることができるようにし、頸椎の保護及び矯正を図るようにする枕に関する。
【背景技術】
【０００２】
一般に、正しい睡眠姿勢を取らなければ、頚骨の変形及び脊椎骨盤に至るまで影響を与えることはもう知られた事実である。
【０００３】
したがって、非常に薄い枕を使うとかあるいは枕をしないで睡眠を取れば、肩と肩胛骨に過度な体圧が発生して肩や腕が凝り、腰椎にせん断荷重が発生してほぼすべての人々が腰が切れるように痛いと訴え、背中の脊椎部の痛症と首全体の筋肉が凝る現象も現れる。
【０００４】
また、腹部に圧迫が加わり、肝機能の悪い人は気まずさをひどく感じ、長期間の維持の際に肝機能が悪くなることができるから、一生寿命のおよそ１／３を占めている睡眠の際、頭部を支える枕は非常に重要な部分を占めるものである。
【０００５】
しかし、通常に使われている枕において、大きな綿素材が入ったクッション用枕は頭部と肩部が上げられるようにするため、首の下側部にしわが生じ、いびきかきをすることになる要因となるだけでなく、首の後部と肩部の脊椎部に痛症を引き起こす欠点がある。
【０００６】
また、頭部と肩部が上げられるため、肺が圧迫されて肺機能が低下し、十分な酸素供給ができなく、眠ってからも頭がさっぱりしないだけでなく、長期間使えば、一字形の首に変形する可能性が非常に高く、頸椎間板ヘルニアの発生危険も非常に高い問題点がある。
【０００７】
そして、形状記憶スホンジで製造される枕で、一名メモリフォーム枕やラテックス枕と呼ばれている枕は質感は良いが、あまりふくよかであるため、頭の高さは適切であるが頸椎を支えることができなく、頭の高さより頸椎を支える高さが低くなる欠点がある。
【０００８】
したがって、首の後部の血流を邪魔して脳の一部血管への血液供給が滑らかでないようにし、寝てからは肩が凝るなど、脊椎部が凝る場合が現れるだけでなく、熟睡を取ることができないため、眠ってからも身が重く感じられる場合が生じ、腰痛が発生することができ、長期間の使用時には一字形首の現象や頸椎間板ヘルニアの発生危険が高くなる問題点がある。
【０００９】
そして、枕の身として硬質の枕チップが充填された円形枕または木枕などは、４番頸椎や５番頸椎などの特定部分に集中して荷重が集中するため、長期間の使用の際、むしろ首の周り筋肉と頸椎に負担を与え、血液の循環に邪魔となる問題点がある。
【００１０】
したがって、頸椎を支える枕として、特許文献１のように、枕本体と頸椎支持用枕でなるようにした枕、特許文献２のように、頭部支持部と頸椎支持部を分離膜で分割した枕、そして特許文献３のように、多数のクッション用支持具を挿入して構成した枕などが先行技術として開示されている。
【００１１】
しかし、前記のような先行技術の枕は頭部の荷重を分散させることができない構造であるから好ましくない欠点をそれぞれ持っている。
【００１２】
すなわち、特許文献１のような枕は、単純な円形枕をするようであるため、頭部が後ろにそり返る状態で睡眠を取るしかない。
【００１３】
したがって、寝てからは首の後部が感覚がない程度にぴりぴりと感じられ、睡眠中に１００％が口を開けたままで眠ることになってのどが渇き、悪夢にうなされ、熟睡ができない場合が多く、風邪をひきやすいとか、耳鼻咽喉科関連疾患にかかる可能性が非常に高い問題点を持つことができる。
【００１４】
また、前記特許文献２のような枕は、頭部支持部が頭部の荷重によって押されれば、頸椎支持部が頸椎部に密着する枕であるが、前記頭部支持部と頸椎支持部の間に分離膜があるから、頸椎支持部が頸椎に十分に密着しなくなるだけでなく、この場合には枕の身として弾性のある柔らかい素材を使わなければならないため、頸椎を正常に支えることができなくなる問題点がある。
【００１５】
そして、特許文献３のような枕は、単に高さのみを合わせるための枕であるから、頭部と頸椎部を別に支える機能のみがあるものであるため、身長がそれぞれ違うすべての人の頸椎部を支えるようにする枕としては好ましくない問題点があるものである。
【先行技術文献】
【特許文献】
【００１６】
【特許文献１】大韓民国登録実用新案公報第２０−０２４８４４２号明細書
【特許文献２】大韓民国公開特許公報第１０−２０１１−００１２２６５号明細書
【特許文献３】大韓民国登録特許公報第１０−１０２１３５５号明細書
【発明の概要】
【発明が解決しようとする課題】
【００１７】
本発明は、頭部の荷重を分散させるとともに身体接触部位でばかり変形が発生して頸椎及び後頭部を安定に支えるようにする多数の多角面単位体でなる枕を提供することにその目的がある。
【００１８】
本発明の他の目的は、身体と枕の密着度が向上した枕を提供することで、睡眠の際にも身体の自然な骨格を維持する状態で睡眠を取ることができ、頸椎の矯正を図るようにすることにある。
【課題を解決するための手段】
【００１９】
本発明は、枕の身がそれぞれ充填され、断面三角形の三角柱状を持つ三角五面単位体と、断面四角形の四角柱状を持ち、一側傾斜面が傾く一側傾斜型四角六面単位体及び断面直四角形の直射角柱状を持つ直四角六面単位体と、断面直四角形の直射角柱状を持ち、両側傾斜面が傾く両側傾斜型直四角六面単位体及び断面菱型の菱柱状を持つ菱形六面単位体と、断面二等辺三角形の二等弁三角柱状を持つ二等辺三角形五面単位体及び断面直四角形の直射角柱状を持ち、直四角パネル形状を持つ直四角パネル型六面単位体とを選択的に互いに面接触させるかあるいは積層させて連結し、縫着して単一枕となるようにしたことを特徴とする。
【００２０】
また、本発明は、枕の身がそれぞれ充填され、断面三角形の三角柱状を持つ多数の三角五面単位体の下側の一角エッジ部を互いに一致させて縫着してなる下死点部と、前記多数の三角五面単位体の中で中間部に配置される一対の三角五面単位体の上側の一角エッジ部を連結して縫着してなる上死点部と、底部の前側に一つの三角五面単位体の一面部を楔状に突出するように配置してなる頸椎支持部；及び前記頸椎支持部の後側に連結され、枕の身がそれぞれ充填され、断面四角形の四角柱状を持ち、一側傾斜面が後方に傾く一側傾斜型四角六面単位体と、断面直四角形の直射角柱状を持つ直四角六面単位体及び断面四角形の四角柱状を持ち、一側傾斜面が前方に傾く他の一つの一側傾斜型四角六面単位体と水平方向に連結されてなる後頭部支持部；を備え、就寝者が正常姿勢で睡眠を取るときに使用する正常睡眠枕となるようにしたことを特徴とする。
【００２１】
前記就寝者が正常姿勢で睡眠を取るときに使用する正常睡眠枕の頸椎支持部を成す断面三角形の三角柱状を持つ三角五面単位体の上面には、断面直四角形の直射角柱状を持ち、両側傾斜面が傾く両側傾斜型直四角六面単位体が連結され、前記両側傾斜型直四角六面単位体の後面には、断面四角形の四角柱状を持ち、一側傾斜面が傾く一側傾斜型四角六面単位体が連結されて、枕の前面に肩溝部が形成されるようにし；前記一側傾斜型四角六面単位体の後面側の後頭部支持部の上部には他の一つの一側傾斜型四角六面単位体、断面直四角形の直射角柱状を持つ直四角六面単位体及び三角五面単位体が水平方向に連結されることで、就寝者が横向きになった姿勢で睡眠を取るときに使用する横向き睡眠枕をさらに備えることを特徴とする。
【００２２】
前記正常睡眠枕と前記横向き睡眠枕は着脱手段によって互いに着脱可能となることを特徴とする。
【００２３】
前記横向き睡眠枕は正常睡眠枕の両側部にそれぞれ備えてなることを特徴とする。
【００２４】
そして、本発明は、枕の身がそれぞれ充填され、断面菱型の菱柱状を持つ多数の菱形六面単位体が水平方向に連結され；前記複数の菱形六面単位体の上下部に断面二等辺三角形の二等弁三角柱状を持つ多数の二等辺三角形五面単位体がそれぞれ面接触して連結されることで、枕の前面と後面にそれぞれの肩溝部を備えられ；就寝者が横向きになった姿勢で睡眠を取るときに使用する横向き睡眠枕となることを特徴とする。
【００２５】
また、本発明は、枕の身がそれぞれ充填され、二つが２段に積層され、断面直四角形の直射角柱状を持ち、直四角パネル形状を持つ直四角パネル型六面単位体と；前記２段に積層される一対の直四角パネル型六面単位体の上面前側に積層されて肩溝部をなすようにする、断面四角形の四角柱状を持ち、一側傾斜面が傾く一側傾斜型四角六面単位体とを含み；前記一側傾斜型四角六面単位体の後面には他の一つの直四角パネル型六面単位体が水平方向に連結され、就寝者が横向きになった姿勢で睡眠を取るときに使用する横向き睡眠枕となることを特徴とする。
【００２６】
前記横向き睡眠枕の上面の前側と後側にはそれぞれ着脱手段によって着脱可能な一対の両側傾斜型直四角六面単位体、一側傾斜型四角六面単位体及び直四角六面単位体の中でいずれか一つを選択的に備えることで、中間部に耳押圧防止部を持つようになることを特徴とする。
【発明の効果】
【００２７】
本発明は多数の単位体でなって全体的に形態の変形がないので、頭部と頸椎部がＳ字形に安定した状態を維持するとともに後頭部と頸椎に自然に密着することにより筋肉が硬直しなくて骨格に負担を与えなくなる効果がある。
【００２８】
そして、頭部から頸椎部及び肩部までの接触部が全体的に密着して頭部の荷重が均等に分散されるので、楽な熟睡を取ることができるだけでなく、一字形首の形態に変形することを前もって防止し、誤った日常生活の習慣によって一字形首に変形した場合には、再びＳ字形の正常頸椎状態となるようにする頸椎の矯正を図るようにする効果があるものである。
【図面の簡単な説明】
【００２９】
【図１】本発明による正常睡眠枕の全体斜視図である。
【図２】本発明による単位体を説明する一部断面斜視図である。
【図３】本発明による単位体の連結状態の一実施例を説明する構成図である。
【図４】本発明の単位体の連結状態を示す他の実施例を説明する構成図である。
【図５】本発明の正常睡眠枕の全体構成及び作用を説明する一側面図である。
【図６】本発明による正常睡眠枕をする前の状態を示す一側面図である。
【図７】本発明の正常睡眠枕をして睡眠を取る状態を示す一側面図である。
【図８】本発明の正常睡眠枕に横向き睡眠枕が採用された状態の一側面構成図である。
【図９】本発明の横向き睡眠枕の採用状態の実施例を示す構成図である。
【図１０】本発明の横向き睡眠枕の一実施例を示す一側面構成図である。
【図１１】本発明の横向き睡眠枕の他の実施例を示す一側面構成図である。
【発明を実施するための形態】
【００３０】
本発明を好ましい実施例を示す添付図面に基づいてより詳細に説明すれば次のようである。
【００３１】
図１は本発明の一実施例による枕を示すもので、顔を上向きにして使用する枕を示すものである。本発明の理解に役立てるために、前記のように顔を上向きにして使用する枕で、就寝者が正常姿勢で睡眠を取るときに使用される枕を正常睡眠枕１０と名付けて説明する。
【００３２】
したがって、本発明による枕は、枕の身Ｐがそれぞれ充填される三角五面単位体１、一側傾斜面２ａを持つ一側傾斜型四角六面単位体２及び直四角六面単位体、両側傾斜面４ａを持つ両側傾斜型直四角六面単位体４、図１０に示す菱形六面単位体５及び二等辺三角形五面単位体６、及び図１２に示す直四角パネル型六面単位体７を互いに面接触して積層されるように連結し縫着して一つの枕となるようにしたものである。
【００３３】
そして、前記単位体において、三角五面単位体１は断面三角形の三角柱状を持つようになったものであり、一側傾斜型四角六面単位体２は断面四角形の四角柱状を持ち、一側傾斜面２ａが傾くように構成されたものである。
【００３４】
また、直四角六面単位体３は断面直四角形の直射角柱状を持つように構成されたものであり、両側傾斜型直四角六面単位体４は断面直四角形の直射角柱状を持ち、両側傾斜面４ａが傾くように構成されたものである。
【００３５】
また、菱形六面単位体５は断面菱型の菱柱状を持つように構成され、二等辺三角形五面単位体６は断面二等辺三角形の二等弁三角柱状を持つようになっており、直四角パネル型六面単位体７は断面直四角形の直射角柱状を持ち、全体が直四角パネル形状を持つように構成されたものである。
【００３６】
前述したそれぞれの単位体は、図２に示す三角五面単位体１のように、内部に枕の身Ｐが充填されており、それぞれの角エッジ部Ｍはそれぞれ縫着されて密封されている。符号Ｓは縫着線を示すものである。
【００３７】
そして、それぞれの単位体は一面部にジッパーＧを備えることで、ジッパーＧを開いて枕の身Ｐを入れることができるようになっている。
【００３８】
したがって、本発明による単位体は、図３及び図４に示すように、単位体が互いに面接触するようにした後、互いに一致して集まる角エッジ部Ｍをさらに縫着して連結することによって一つの枕に作られる。
【００３９】
そして、図４に示すように、場合によっては、より容易な製造のために、単位体の間にはマジックテープのような着脱手段３０を備えることで、相対的に面接触して連結しなければならない単位体を先に着脱手段３０で付着した後、互いに一致して集まる単位体の角エッジ部Ｍを縫着して連結することもできる。
【００４０】
そして、完成された枕は、図４に仮想線で示すように、枕掛けＣを着せることで、角エッジ部ＭやジッパーＧが隠蔽されるようにするものである。
【００４１】
したがって、それぞれの単位体が備える角エッジ部ＭやジッパーＧは、本発明の理解に役立てるために、一部の図面や説明及び請求範囲では省略して説明する。
【００４２】
そして、本発明による単位体において、例えば三角五面単位体１とは、一側から見るとき、三角形の長い形態のもので、全体的に５面を持つようになった単位体を意味するものであり、直四角六面単位体３とは、一側から見るとき、直四角形の長い形態のもので、全体的に６面を持つようになった単位体を意味するものであり、さらに他の単位体においてもその名称のような形態の単位体を意味するものである。
【００４３】
したがって、本発明においては、図面に示されていないさらに他の形態の単位体によっても枕を製造して具現することができるものである。
【００４４】
図１及び図５は本発明の一実施例によって製造される正常睡眠枕１０を示すものである。
【００４５】
前記正常睡眠枕１０は、前側に頸椎支持部１１があり、後側には後頭部支持部１５を備える。もちろん、頸椎支持部１１と後頭部支持部１５を備えるものはもう知られた公知の技術である。
【００４６】
しかし、本発明は、頸椎支持部１１が多数の三角五面単位体１の一角エッジ部が互いに一致して縫着されてなる下死点部１２を備える。
【００４７】
また、前記多数の三角五面単位体１の中で中間部に配置する一対の三角五面単位体１の一角エッジ部が連結されて縫着されてなる上死点部１３を備えるように配置される。
【００４８】
また、底部１４の前方に一つの三角五面単位体１の一面部が楔状に突出するように配置される。
【００４９】
そして、前記頸椎支持部１１の後側では、一側傾斜面２ａが後側に下方に傾く一側傾斜型四角六面単位体２、直四角六面単位体３、及び一側傾斜面２ａが前側に下方に傾く他の一つの一側傾斜型四角六面単位体２が水平方向に連結されるように構成される。
【００５０】
したがって、図６のように正常睡眠枕１０をすれば、後頭部支持部１５に後頭部が載せられ、頸椎支持部１１に頸椎が位置することにより、上方に突出している上死点部１３が図５のように加圧荷重Ｗによって自然に押し付けられる。
【００５１】
したがって、加圧荷重Ｗは一対の三角五面単位体１に優先的に両分されて分散される。この際、単位体が三角五面単位体１からなっているので、加圧荷重はさらにそれぞれ垂直方向作用力Ｆ１と対角線方向作用力Ｆ２に分散して作用する。
【００５２】
そして、前記垂直方向作用力Ｆ１と対角線方向作用力Ｆ２は下側に面接触して連結されているさらに他の三角五面単位体１に２次作用力Ｆ３として作用するが、これらはそれぞれ別個の三角五面単位体１でなっているため、これらの間に面接触する部分は変形がほぼ発生しなく、ただ２次作用力Ｆ３だけ伝達される状態で加圧力のみを受けるようになる。
【００５３】
したがって、上死点部１３に繋がった一対の三角五面単位体１は下方に面接触する面がほぼ変形しないで堪える状態となるので、何らの作用力も受けなくなる上方に位置する面が図５の仮想線のように外方にちょっと押される状態となることにより、自然に頸椎部に密着する状態となる。
【００５４】
また、２次作用力Ｆ３を受ける三角五面単位体１の中で前側に配置されている三角五面単位体１が図５の仮想線のように外方にちょっと押される状態となることにより、自然に頸椎部に密着する状態となる。
【００５５】
しかし、２次作用力Ｆ３を受ける三角五面単位体１の中で後側に配置されている三角五面単位体１は２次作用力Ｆ３が垂直方向と対角線方向に分散して作用するため、加圧荷重Ｗよりはずっと弱くなった作用力を受けながら分散されるので、２次作用力Ｆ３を受ける三角五面単位体１の中で後側に配置されている三角五面単位体１は加圧荷重Ｗを受けてもほぼ変形のない状態で支持される状態となる。
【００５６】
そして、２次作用力Ｆ３を受ける三角五面単位体１の中で前側に配置されている三角五面単位体１の下方に配置されている三角五面単位体１はその上側の三角五面単位体１によって３次作用力Ｆ４を対角線方向に受けるようになる。
【００５７】
したがって、対角線方向の３次作用力Ｆ４を受ける三角五面単位体１は、一面が楔状に突出するように配置された部分が図５の矢印のように前方に押される状態となる。
【００５８】
よって、図７に示すように、頸椎支持部１１の上死点部１３に加圧荷重Ｗが作用する状態となれば、その加圧荷重Ｗが分散して作用するとともに三角五面単位体１が自然に頸椎と肩側に密着する状態となり、その三角五面単位体１がそれぞれの別個の単位体で構成されているので、形態変形がほぼない状態となることにより、安定した状態を維持するようになるものである。
【００５９】
一方、本発明は、頸椎支持部１１が多数の単位体でなるので、加圧荷重Ｗが分散されるだけでなく、２次作用力Ｆ３を受ける三角五面単位体１の中で後側に配置されている三角五面単位体１は加圧荷重Ｗを受けてもほぼ変形のない状態で支持されることにより、後頭部支持部１５は頸椎支持部１１の加圧荷重Ｗの影響をほぼ受けなくなる状態となる。
【００６０】
そして、後頭部支持部１５は多数の単位体でなっているため、その単位体に作用する後頭部荷重によって発生する加圧力が図５において直線方向作用力Ｆ５として作用するだけで横方向に遮断される状態であるので、側方に連結されている単位体にほぼ伝達されないで遮断される状態となる。
【００６１】
したがって、後頭部支持部１５は頭部の荷重によって図５の仮想線のようにちょっと押される状態にだけ変形されるので、自然に後頭部に後頭部支持部１５が密着する状態となる。
【００６２】
すなわち、本発明は多数の単位体でなって全体的に形態の変形がないので、頭部と頸椎部がＳ字形に安定した状態を維持するとともに頸椎支持部１１と後頭部支持部１５が後頭部と頸椎に密着することにより、筋肉が硬直しなくて骨格に負担を与えなくなるものである。
【００６３】
また、頭部から頸椎及び肩部までの接触部が全体的に密着して頭部の荷重が均等に分散されるので、楽な熟睡を取ることができるだけでなく、一字形首の形に変形することを前もって防止し、誤った日常生活の習慣によって一字形首の形に変形した場合には、再びＳ字形の正常な頸椎となるようにする頸椎の矯正を図るようにするものである。
【００６４】
図８は本発明の他の実施例を示すものである。
【００６５】
前記他の実施例は、正常睡眠枕１０の上部に横向きに寝て使用する枕をさらに備えるものである。
【００６６】
そして、横向きに寝て使用する枕は就寝者が横向きになった姿勢で睡眠を取るときに使用する枕であって、横向き睡眠枕２０と名付けて説明する。
【００６７】
したがって、図８を参照すれば、正常睡眠枕１０の頸椎支持部１１の上面前側には、両側傾斜面４ａを持つ両側傾斜型直四角六面単位体４と一側傾斜面２ａを持つ一側傾斜型四角六面単位体２が連結されて肩溝部２１が形成されるように構成される。
【００６８】
また、前記一側傾斜型四角六面単位体２の後側の後頭部支持部１５の上部には、一側傾斜型四角六面単位体２、直四角六面単位体３及び三角五面単位体１が水平方向に連結されるように構成される。
【００６９】
そして、前記正常睡眠枕１０と横向き睡眠枕２０は着脱手段３０によって互いに着脱可能に構成されることもできる。
【００７０】
前記着脱手段３０はマジックテープが好ましいが、場合によってはジッパーを用いることもできる。
【００７１】
また、横向き睡眠枕２０は、図９の（ａ）に示すように、正常睡眠枕１０の上部全体に備えることもでき、図９の（ｂ）に示すように、横向き睡眠枕２０を正常睡眠枕１０の両側部にそれぞれ備えることにより、正常状態で睡眠を取るときには正常睡眠枕１０をして寝るが、横向きになるときには横向き睡眠枕２０をして睡眠を取ることもできる。
【００７２】
また、再び図８を参照すれば、本発明は、横向き睡眠枕２０の上部の前側と後側にそれぞれ着脱手段３０によって着脱可能な一対の両側傾斜型直四角六面単位体４を備えることにより、中間部に耳押圧防止部２２を持つように構成することもできる。
【００７３】
したがって、本発明は、横向き睡眠枕２０によって枕の高さが高くなるので、図８の仮想線のように横になって枕をすれば、肩溝部２１に肩が収容されて密着する状態となる。
【００７４】
したがって、頭部は横向き睡眠枕２０に安定して載せられる状態となって中間部に加圧荷重Ｗが作用する状態となるので、前側及び後側の端部は相対的にちょっと上方に上げられる状態となり、横向き睡眠枕２０が頭部と頸椎部に自然に密着する状態となる。
【００７５】
そして、横向き睡眠枕２０が多数の単位体でなっているので、頭部の荷重が分散され、形態の変形がほぼないことは正常睡眠枕１０の説明と同様なので、その詳細な説明は省略する。
【００７６】
図１０及び図１１は横向きに寝るときにだけ使用する枕を示すものである。前記枕は、本発明の理解に役立てるために、横向き睡眠枕１００、１００’と名付けて説明する。
【００７７】
したがって、図１０は一実施例の横向き睡眠枕１００を示す。
【００７８】
前記横向き睡眠枕１００は、複数の菱形六面単位体５を水平方向に連結し、前記複数の菱形六面単位体５の上下部にそれぞれ多数の二等辺三角形五面単位体６をそれぞれ面接触するように連結して枕の前面と後面にそれぞれの肩溝部１１０を備えるように構成したものである。
【００７９】
また、前記横向き睡眠枕１００の上部の前側と後側にそれぞれ着脱手段３０によって着脱可能な一対の直四角六面単位体３を備えることで、中間部に耳押圧防止部１２０を持つようにすることもできる。
【００８０】
したがって、本発明は、横向き睡眠枕１００を図１０の仮想線のように横向きに寝て使用すれば、肩溝部１１０に肩が収容されて密着する状態となる。
【００８１】
よって、頭部は横向き睡眠枕１００に安定して載せられる状態となり、中間部に加圧荷重Ｗが作用する状態となるので、前側及び後側の端部は矢印のように相対的にちょっと上方に上げられる状態となることにより、横向き睡眠枕１００が頭部と頸椎部に自然に密着する状態となる。
【００８２】
そして、横向き睡眠枕１００が多数の単位体でなっているので、頭部の荷重が分散されて形態の変形がほぼないことは正常睡眠枕１０の説明と同様なので、その詳細な説明は省略する。
【００８３】
図１１は他の実施例の横向き睡眠枕１００’を示すものである。
【００８４】
前記実施例の横向き睡眠枕１００’は一対の直四角パネル型六面単位体７が２段に積層されて連結されてなる。
【００８５】
そして、前記２段に積層される一対の直四角パネル型六面単位体７の上面前側には一側傾斜面２ａが下向きに形成された一側傾斜型四角六面単位体２が積層されるように連結することで、肩溝部１１０を持つように構成される。
【００８６】
また、前記一側傾斜型四角六面単位体２の後面には他の一つの直四角パネル型六面単位体７が水平方向に連結されるように構成されるものである。
【００８７】
そして、前記横向き睡眠枕１００’の上部前側と後側にはそれぞれ着脱手段３０によって着脱可能な一対の一側傾斜型四角六面単位体２を備えることで、中間部に耳押圧防止部１２０を持つように構成される。
【００８８】
前記横向き睡眠枕１００’においても、図１１の仮想線のように、横向きに寝て使用すれば、肩溝部１１０に肩が収容されて密着する状態となる。
【００８９】
したがって、頭部は横向き睡眠枕１００’に安定して載せられる状態となり、中間部に加圧荷重Ｗが作用する状態となるので、前側及び後側の端部は矢印のように相対的にちょっと上方に上げられる状態となることにより、横向き睡眠枕１００’が頭部と頸椎部に自然に密着する状態となる。
【００９０】
そして、横向き睡眠枕１００’は多数の単位体が積層してなっているので、頭部の荷重が分散されて形態の変形がほぼないことは正常睡眠枕１０の説明と同様なので、その詳細な説明は省略する。
【００９１】
したがって、本発明は、前記のような横向き睡眠枕１００、１００’が多数の単位体でなって全体的に形態の変形がなくて、頭部と頸椎部が安定した状態を維持するので、横向きに寝て睡眠を取っても筋肉が硬直しなくて骨格に負担を与えなくなる状態で睡眠を取ることができるようになるものである。
【００９２】
また、頭部から頸椎部及び肩部までの接触部が全体的に密着しながら頭部の荷重が均等に分散されるので、楽な熟睡を取ることができるようになるものである。
【００９３】
このような本発明は図面に示す実施例に限定されるものではなく、本発明が属する技術分野の通常の知識を持った者によってさまざまな形態に変形実施可能であるので、請求範囲を大きく逸脱しない限り、幅広く保護されなければならないのは明らかである。
【符号の説明】
【００９４】
１    三角五面単位体
２    一側傾斜型四角六面単位体
３    直四角六面単位体
４    両側傾斜型直四角六面単位体
５    菱形六面単位体
６    二等辺三角形五面単位体
７    直四角パネル型六面単位体
１０    正常睡眠枕
１１    頸椎支持部
１２    下死点部
１３    上死点部
１４    底部
１５    後頭部支持部
２０    横向き睡眠枕
２１    肩溝部
２２    耳押圧防止部
３０    着脱手段
１００、１００’    横向き睡眠枕
１１０    肩溝部
１２０    耳押圧防止部
Ｍ    角エッジ部
Ｓ    縫着線
Ｐ    枕の身
Ｃ    枕掛け
【図１】
0005700265.tif 000002
【図２】
0005700265.tif 000003
【図３】
0005700265.tif 000004
【図４】
0005700265.tif 000005
【図５】
0005700265.tif 000006
【図６】
0005700265.tif 000007
【図７】
0005700265.tif 000008
【図８】
0005700265.tif 000009
【図９（ａ）】
0005700265.tif 000010
【図９（ｂ）】
0005700265.tif 000011
【図１０】
0005700265.tif 000012
【図１１】
0005700265.tif 000013